(57)【要約】【課題】複数の半導体レーザから発せられたレーザ光の非点収差を適切に補正することができる光ピックアップ装置および光ディスク装置を提供する。【解決手段】  光ピックアップ装置１０３は、発振波長の異なるレーザ光を出射する複数のレーザ光源と、各レーザ光を光ディスク１０１に集光するための複数の対物レンズ２０６，２０７とを備える。さらに、複数のレーザ光源のうち、所定の発振波長（例えば、最短の発振波長）のレーザ光源から出射されたレーザ光を反射して複数の対物レンズ２０６，２０７の一つに導き、他のレーザ光源から出射されたレーザ光を透過する打ち上げミラー（ダイクロイックミラー）２０８を備える。打ち上げミラー２０８を、当該他のレーザ光源から出射されたレーザ光が透過することにより発生する非点収差によって、当該他のレーザ光源から出射されたレーザ光の非点収差を補正する。【選択図】図５
2011181125.tif 000002
【特許請求の範囲】
【請求項１】
発振波長の異なるレーザ光を出射する複数のレーザ光源と、
前記複数のレーザ光源から出射された各レーザ光を光ディスクに集光するための複数の対物レンズと
を備え、
前記複数のレーザ光源のうち、所定の発振波長のレーザ光源から出射されたレーザ光を反射して前記複数の対物レンズの一つに導き、他のレーザ光源から出射されたレーザ光を透過する打ち上げミラーをさらに備え、
前記打ち上げミラーを前記他のレーザ光源から出射されたレーザ光が透過することにより発生する非点収差によって、当該他のレーザ光源から出射されたレーザ光の非点収差を補正すること
を特徴とする光ピックアップ装置。
【請求項２】
前記所定の発振波長のレーザ光源は、前記複数のレーザ光源のうち、最も短い発振波長のレーザ光源であることを特徴とする請求項１に記載の光ピックアップ装置。
【請求項３】
前記打ち上げミラーは、平板ミラーであること
を特徴とする請求項１または２に記載の光ピックアップ装置。
【請求項４】
前記打ち上げミラーは、ダイクロイックミラーであること
を特徴とする請求項１から３までの何れか１項に記載の光ピックアップ装置。
【請求項５】
前記複数のレーザ光源から出射された各レーザ光を選択的に透過、反射することにより合成して共通の光路に導く光合成手段をさらに備え、
前記光合成手段は、前記複数のレーザ光源のうち、所定の発振波長のレーザ光源から出射されたレーザ光を反射し、他のレーザ光源から出射されたレーザ光を透過するミラーを有し、当該ミラーを前記他のレーザ光源から出射されたレーザ光が透過することにより発生する非点収差によって、当該他のレーザ光源から出射されたレーザ光の非点収差を補正すること
を特徴とする請求項１から４までの何れか１項に記載の光ピックアップ装置。
【請求項６】
前記打ち上げミラーおよび前記光合成手段の前記ミラーは、前記共通の光路の光軸を中心とした回転方向に互いに９０度異なる方向を向いた反射面を有することを特徴とする請求項５に記載の光ピックアップ装置。
【請求項７】
前記光合成手段の前記ミラーは、平板ミラーであること
を特徴とする請求項５または６に記載の光ピックアップ装置。
【請求項８】
前記光合成手段の前記ミラーは、ダイクロイックミラーであること
を特徴とする請求項５から７までの何れか１項に記載の光ピックアップ装置。
【請求項９】
前記複数の対物レンズの少なくとも１つは、有限系対物レンズであることを特徴とする請求項１から８までの何れか１項に記載の光ピックアップ装置。
【請求項１０】
請求項１から９までの何れか１項に記載の光ピックアップ装置を備えた光ディスク装置。
【発明の詳細な説明】
【技術分野】
【０００１】
本発明は、光ピックアップ装置およびこれを搭載した光ディスク装置に関する。
【背景技術】
【０００２】
従来より、光ピックアップ装置では、光源として半導体レーザが広く用いられているが、半導体レーザには大きな非点収差を有するものがある。非点収差が大きな半導体レーザをそのまま用いると、光ディスク上の光スポット径を十分小さく絞ることができないため、光ピックアップ装置の性能（例えば再生性能）を向上することが難しい。そこで、半導体レーザの有する非点収差を補正するように、光路内に配置したレンズの傾斜角度を設定することが提案されている（例えば、特許文献１，２参照）。
【０００３】
一方、現在の光ピックアップ装置は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）およびＢＤ（Ｂｌｕ−Ｒａｙ  Ｄｉｓｃ）の全てを再生できるものが一般的である。このような光ピックアップ装置では、１つの光ピックアップ装置に複数の半導体レーザを搭載し、各半導体レーザのレーザ光の光路を共通化することで、光ピックアップ装置の小型化を実現している。
【先行技術文献】
【特許文献】
【０００４】
【特許文献１】特開昭５９−５８４１４号公報
【特許文献２】特開平８−１４７７４７号公報
【発明の概要】
【発明が解決しようとする課題】
【０００５】
しかしながら、複数の半導体レーザを搭載した光ピックアップ装置において、共通の光路内に配置したレンズを傾斜させた場合、非点収差が大きいレーザ光だけでなく、非点収差が小さいレーザ光（すなわち、補正が不要なレーザ光）まで補正することになる。そのため、各半導体レーザから発せられたレーザ光の非点収差を適切に低減することができず、光ピックアップ装置の再生性能等の向上が難しい。
【０００６】
本発明は、上記の課題を解決するためになされたものであり、複数の半導体レーザから発せられたレーザ光の非点収差を適切に低減することができる光ピックアップ装置および光ディスク装置を提供することを目的とする。
【課題を解決するための手段】
【０００７】
本発明の光ピックアップ装置は、発振波長の異なるレーザ光を出射する複数のレーザ光源と、複数のレーザ光源から出射された各レーザ光を光ディスクに集光するための複数の対物レンズとを備え、さらに、複数のレーザ光源のうち所定の発振波長のレーザ光源から出射されたレーザ光を反射して複数の対物レンズの一つに導き、他のレーザ光源から出射されたレーザ光を透過する打ち上げミラーを備える。打ち上げミラーを、当該他のレーザ光源から出射されたレーザ光が透過することにより発生する非点収差によって、当該他のレーザ光源から出射されたレーザ光の非点収差を補正する。
【発明の効果】
【０００８】
本発明によれば、所定の発振波長（例えば、最も短い発振波長）のレーザ光源から出射された、非点収差が比較的小さいレーザ光については、非点収差を行わず、他のレーザ光源から出射された、非点収差が比較的大きいレーザ光については、打ち上げミラーを透過させることによって非点収差の補正を行う。そのため、それぞれの半導体レーザから発せられたレーザ光の非点収差を適切に低減することができ、光ピックアップ装置の性能を向上することができる。
【図面の簡単な説明】
【０００９】
【図１】本発明の実施の形態１における光ディスク装置の構成を概略的に示す図である。
【図２】実施の形態１における光ピックアップ装置の光学系を示す平面図（Ａ）およびその一部を示す側面図（Ｂ）である。
【図３】実施の形態１における光ピックアップ装置の構成例を示す平面図（Ａ）、側面図（Ｂ）および背面図（Ｃ）である。
【図４】実施の形態１における光ピックアップ装置のＢＤ用光路を示す平面図（Ａ）およびその一部を示す側面図（Ｂ）である。
【図５】実施の形態１における光ピックアップ装置のＤＶＤ／ＣＤ用光路を示す平面図（Ａ）およびその一部を示す側面図（Ｂ）である。
【図６】実施の形態１におけるダイクロイックミラーとＤＶＤ／ＣＤ用光路を模式的に示す図である。
【図７】実施の形態１におけるダイクロイックミラーの厚さと、ダイクロイックミラーで発生する非点収差との関係を示すグラフである。
【図８】実施の形態２における光ピックアップ装置の光学系を示す平面図（Ａ）およびその一部を示す側面図（Ｂ）である。
【図９】実施の形態２における光ピックアップ装置の構成例を示す平面図（Ａ）、側面図（Ｂ）および背面図（Ｃ）である。
【図１０】実施の形態２における光ピックアップ装置のＢＤ用光路を示す平面図（Ａ）およびその一部を示す側面図（Ｂ）である。
【図１１】実施の形態２における光ピックアップ装置のＤＶＤ／ＣＤ用光路を示す平面図（Ａ）およびその一部を示す側面図（Ｂ）である。
【図１２】実施の形態２におけるダイクロイックミラーとＤＶＤ／ＣＤ用光路とを模式的に示す図である。
【図１３】実施の形態２におけるダイクロイックミラーの厚さと、ダイクロイックミラーで発生する非点収差との関係を示すグラフである。
【発明を実施するための形態】
【００１０】
実施の形態１．
図１は、本発明の実施の形態１における光ディスク装置の構成を概略的に示す図である。ここでは、光ディスク装置は、光ディスク（媒体）に記録されたデータを再生するものとして説明するが、記録・再生の両方を行うもの、あるいは記録のみを行うものであってもよいことは言うまでもない。
【００１１】
図１に示すように、この実施の形態１における光ディスク装置は、光ディスク１０１が装着されるターンテーブル（図示せず）と、ターンテーブルを回転させるディスク駆動部としてのスピンドルモータ１０２と、光ディスク１０１に記録されたデータを読み出す光ピックアップ装置１０３と、光ピックアップ装置１０３を光ディスク１０１のラジアル方向（半径方向）に移動させる移動手段１０４とを備える。
【００１２】
また、光ディスク装置は、光ピックアップ装置１０３の光集積素子の各受光面（受光素子）によって検出された光ビームの受光光量に応じた電気信号が供給されるマトリクス回路１０５と、信号再生回路１０６と、サーボ回路１０７と、スピンドル制御回路１０８と、レーザ制御回路１０９と、スレッド制御回路１１０と、コントローラ１１１とを有する。
【００１３】
マトリクス回路１０５は、マトリクス演算回路および増幅回路などを備えており、光ピックアップ装置１０３の光集積素子の各受光素子からの出力信号のマトリクス演算処理により、必要な信号、例えば、高周波信号の再生信号、サーボ制御のためのフォーカスエラー信号およびトラックエラー信号などを生成する。マトリクス回路１０５から出力される再生信号は、信号再生回路１０６に供給され、フォーカスエラー信号およびトラックエラー信号は、サーボ回路１０７に供給される。
【００１４】
信号再生回路１０６は、マトリクス回路１０５から出力された再生信号に対して２値化処理、再生クロック生成処理などを行い、再生データを生成する。再生データにまでデコードされたデータは、図示しないホスト機器、例えば、ＡＶシステムとしての機器またはパーソナルコンピュータなどに転送される。
【００１５】
サーボ回路１０７は、マトリクス回路１０５から出力されたフォーカスエラー信号およびトラックエラー信号から、フォーカスサーボドライブ信号およびトラックサーボドライブ信号を生成し、光ピックアップ装置１０３にサーボ動作を実行させる。すなわち、光ピックアップ装置１０３の対物レンズアクチュエータのフォーカスコイルおよびトラックコイルを駆動させる。光ピックアップ装置１０３とマトリクス回路１０５とサーボ回路１０７とにより、フォーカスサーボループおよびトラックサーボループが形成される。
【００１６】
スピンドル制御回路１０８は、スピンドルモータ１０２の回転制御を行う。レーザ制御回路１０９は、光ピックアップ装置１０３から出射されるレーザ光の強度を制御する。スレッド制御回路１１０は、移動手段１０４によって光ピックアップ装置１０３を光ディスク１０１のラジアル方向にシフト（移動）させ、光ディスク１０１のラジアル方向の所望の位置に記録されたデータを光ピックアップ装置１０３が読み出すことができるようにしている。
【００１７】
以上のサーボ制御および再生制御は、マイクロコンピュータによって形成されたコントローラ１１１によって制御される。コントローラ１１１は、ホスト機器からのコマンドに応じて各種処理を実行する。
【００１８】
図２（Ａ）は、実施の形態１における光ピックアップ装置１０３の光学系を示す平面図（Ａ）である。また、図２（Ｂ）は、光ピックアップ装置１０３の光学系の一部を示す側面図である。図２（Ａ）に示すように、光ピックアップ装置１０３は、ＢＤ用の光集積素子２０１と、ＤＶＤ／ＣＤ用の光集積素子２０２と、反射ミラー２０３と、ダイクロイックプリズム２０４と、カップリングレンズ２０５と、ＢＤ用有限系対物レンズ２０６と、ＤＶＤ／ＣＤ用有限系対物レンズ２０７と、ダイクロイックミラー２０８と、反射ミラー２０９とを備えている。
【００１９】
光集積素子２０１は、ＢＤ用の半導体レーザ（レーザ光源）と受光素子とを集積したものである。ＢＤ用の半導体レーザの発振波長は、約４０５ｎｍである。また、光集積素子２０２は、ＤＶＤ／ＣＤ用の２波長半導体レーザ（レーザ光源）と受光素子とを集積したものである。２波長半導体レーザの発振波長は、印加電圧に応じて、約６６０ｎｍ（ＤＶＤ用）と約７８５ｎｍ（ＣＤ用）とで切り替えられる。
【００２０】
反射ミラー２０３は、全反射ミラーであり、光集積素子２０２のＤＶＤ／ＣＤ用半導体レーザから出射されたレーザ光を反射する。
【００２１】
ダイクロイックプリズム２０４は、光集積素子２０１のＢＤ用半導体レーザから出射されたレーザ光を透過し、光集積素子２０２のＤＶＤ／ＣＤ用半導体レーザから出射された（さらに反射ミラー２０３で反射された）レーザ光を反射する。これにより、光集積素子２０１，２０２から出射された各レーザ光は、共通の光路（ダイクロイックプリズム２０４〜ダイクロイックミラー２０８）を進行する。
【００２２】
ダイクロイックミラー（打ち上げミラー）２０８は、ダイクロイックプリズム２０４およびカップリングレンズ２０５を透過した光のうち、ＢＤ用半導体レーザから出射された波長が約４０５ｎｍのレーザ光を対物レンズ２０６に向けて反射し、ＤＶＤ／ＣＤ用半導体レーザから出射された波長が約６６０ｎｍ、約７８５ｎｍのレーザ光を透過する。
【００２３】
反射ミラー２０９は、ダイクロイックミラー２０８を透過した、波長が約６６０ｎｍ、約７８５ｎｍのレーザ光を、対物レンズ２０７に向けて反射する。
【００２４】
ＢＤ用有限系対物レンズ２０６は、ダイクロイックミラー２０８からの反射光を光ディスク１０１の記録面に集光させる。ＤＶＤ／ＣＤ用有限系対物レンズ２０７は、反射ミラー２０９からの反射光を光ディスク１０１（図１）の記録面に集光させる。
【００２５】
図３は、実施の形態１における光ピックアップ装置１０３の構成例を示す平面図（Ａ）、側面図（Ｂ）および背面図（Ｃ）である。図３（Ａ）〜（Ｃ）に示すように、ＢＤ用有限系対物レンズ２０６およびＤＶＤ／ＣＤ用有限系対物レンズ２０７は、それぞれの光軸方向が光ディスク１０１の記録面に直交する方向（Ｚ方向）を向くように、光ディスク１０１の半径方向（Ｙ方向）に並べられて、例えば略直方体形状のレンズホルダ２１０に取り付けられている。
【００２６】
なお、以下の説明では、ＢＤ用有限系対物レンズ２０６およびＤＶＤ／ＣＤ用有限系対物レンズ２０７の光軸方向（すなわち光ディスク１０１の記録面に直交する方向）を、Ｚ方向とし、光ディスクの１０１の半径方向を、Ｙ方向とする。また、Ｙ方向およびＺ方向に直交する方向を、Ｘ方向とする。
【００２７】
レンズホルダ２１０のＹ方向両端面には、例えば３本ずつワイヤ２１１が取り付けられ、各ワイヤ２１１の末端部は、光ピックアップ装置１０３のベース２１３上に配設されたワイヤ保持部２１２に取り付けられている。ワイヤ２１１およびワイヤ保持部２１２は、対物レンズ２０６，２０７をＹ方向およびＺ方向に移動可能に支持する弾性支持手段を構成している。
【００２８】
レンズホルダ２１０のＸ方向両端面には、図示しないフォーカスコイルおよびトラックコイルが取り付けられており、ベース２１３上に配置されたマグネット２１４，２１５に対向している。マグネット２１４，２１５、フォーカスコイルおよびトラックコイルは、対物レンズ２０６，２０７をＹ方向およびＺ方向に移動させる駆動手段を構成し、さらに、上述した弾性支持手段と併せて対物レンズアクチュエータを構成している。
【００２９】
対物レンズ２０６，２０７をＹ方向に並べて配置し、光集積素子２０１，２０２をＹ方向に配置することで、光ピックアップ装置１０３のＹ方向の長さＬは長くなるが、Ｘ方向の幅Ｗを短くすることができる。このように光ピックアップ装置１０３のＸ方向の幅Ｗを短くすることは、光ピックアップ装置１０３をフローティングデッキに搭載する上で有利である。
【００３０】
なお、カップリングレンズ２０５は、レンズ移動手段２２０により、Ｘ方向に移動可能に支持されている。このレンズ移動手段２２０は、カップリングレンズ２０５をＸ方向に移動させることで光学性能を補正するものであるが、詳細説明は省略する。
【００３１】
図４（Ａ）は、光ピックアップ装置１０３のＢＤ用光路を示す平面図である。図４（Ｂ）は、光ピックアップ装置１０３のＢＤ用光路の一部を示す側面図である。光集積素子２０１のＢＤ用半導体レーザから出射されたレーザ光は、ダイクロイックプリズム２０４とカップリングレンズ２０５とを透過し、ダイクロイックミラー２０８で反射され、ＢＤ用有限系対物レンズ２０６を介して光ディスク１０１の記録面に集光される。光ディスク１０１の記録面で反射されたレーザ光は、ＢＤ用有限系対物レンズ２０６を透過し、ダイクロイックミラー２０８で反射され、カップリングレンズ２０５およびダイクロイックプリズム２０４を透過し、光集積素子２０１の受光素子によって受光される。
【００３２】
図５（Ａ）は、光ピックアップ装置１０３のＤＶＤ／ＣＤ用光路を示す平面図である。図５（Ｂ）は、光ピックアップ装置１０３のＤＶＤ／ＣＤ用光路の一部を示す側面図である。図５（Ａ）に示すように、光集積素子２０２のＤＶＤ／ＣＤ用半導体レーザから出射されたレーザ光は、反射ミラー２０３とダイクロイックプリズム２０４で反射され、カップリングレンズ２０５を透過し、さらにダイクロイックミラー２０８を透過し、反射ミラー２０９で反射されて、ＤＶＤ／ＣＤ用有限系対物レンズ２０７を介して光ディスク１０１の記録面に集光される。光ディスク１０１の記録面で反射されたレーザ光は、ＤＶＤ／ＣＤ用有限系対物レンズ２０７を透過し、反射ミラー２０９で反射され、ダイクロイックミラー２０８を透過し、カップリングレンズ２０５を透過し、ダイクロイックプリズム２０４と反射ミラー２０３で反射され、光集積素子２０２の受光素子によって受光される。
【００３３】
一般に、ＢＤ用半導体レーザは非点収差を有さないが、ＤＶＤ／ＣＤ用半導体レーザは非点収差を有することが知られている。この実施の形態１では、光集積素子２０１のＢＤ用半導体レーザと光集積素子２０２のＤＶＤ／ＣＤ用半導体レーザのうち、ＤＶＤ／ＣＤ用半導体レーザの有する非点収差を、以下の構成によって補正している。
【００３４】
図６は、ダイクロイックミラー２０８とＤＶＤ／ＣＤ用光路とを模式的に示す図である。ダイクロイックミラー２０８は、ここでは、一定の厚さｄを有する平板形状のミラーとし、屈折率はｎとする。このダイクロイックミラー２０８は、その入射光軸に直交する面に対して角度θだけ傾斜している。ダイクロイックミラー２０８を透過した開口数ＮＡの光に生じる非点収差は、以下の式（１）で表される。
【００３５】
【数１】
2011181125.tif 000003
【００３６】
光集積素子２０２のＤＶＤ／ＣＤ用半導体レーザは、上記のとおり非点収差を有しているため、そのままでは光ディスク１０１上の光スポット径を十分小さく絞ることができず、光ピックアップ装置１００の再生性能を向上することが難しい。そこで、この実施の形態１では、ダイクロイックミラー２０８において逆の極性の非点収差を発生させることにより、半導体レーザの非点収差を補正している。
【００３７】
図７は、ダイクロイックミラー２０８の厚さｄと、このダイクロイックミラー２０８で発生する非点収差ＡＳとの関係を示すグラフである。レーザ光の波長λは６６０ｎｍ（ＤＶＤ用）とし、ダイクロイックミラー２０８の傾きθは４５°とする。また、ダイクロイックミラー２０８の屈折率ｎは１．５２とし、ＮＡは０．０６５とする。半導体レーザの有する非点収差が−０．１５λ（０．０３０λｒｍｓ）の場合、図７から、ダイクロイックミラー２０８の厚さｄを０．２ｍｍとすることにより、逆の非点収差０．１５λを発生させて非点収差を補正し、低減することができる。
【００３８】
一方、光集積素子２０１のＢＤ用半導体レーザは、それ自体、非点収差を有していない。また、このＢＤ用半導体レーザから出射されたレーザ光は、ダイクロイックミラー２０８で反射されるため、ダイクロイックミラー２０８を透過することによる非点収差の付与もない。
【００３９】
なお、波長λが７８５ｎｍのレーザ光（ＣＤ用）の場合には、ダイクロイックミラー２０８の厚さｄの最適値は、上述した波長λが６６０ｎｍのレーザ光（ＤＶＤ用）の場合とほぼ一致するが、厳密には僅かなずれがある。ここでは、より高い精度で非点収差の補正が求められるＤＶＤ用のレーザ光（λ＝６６０ｎｍ）の非点収差補正を優先して、上記のように厚さｄ（＝０，２ｍｍ）を決定している。
【００４０】
このように、この実施の形態１では、ＤＶＤ／ＣＤ用の半導体レーザから出射された、非点収差を有するレーザ光については、ダイクロイックミラー２０８を透過させることにより非点収差を補正する。その一方、ＢＤ用の半導体レーザから出射された、非点収差を有さないレーザ光については、ダイクロイックミラー２０８で反射し、非点収差を与えない。そのため、光集積素子２０１，２０２から出射された各レーザ光によって、光ディスク１０１上に十分小さな光スポットを形成することができ、光ピックアップ装置１００の再生性能を向上することができる。
【００４１】
以上に説明したように、本発明の実施の形態１によれば、非点収差の補正が必要でないレーザ光（ここでは、最短の発振波長のレーザ光源から発せられたレーザ光）については非点収差の補正を行わず、非点収差の補正が必要なレーザ光について非点収差の補正を行うため、各レーザ光の非点収差を適切に低減することができる。すなわち、非点収差の影響を抑制して、光ピックアップ装置の性能を向上することができる。
【００４２】
また、ダイクロイックミラー２０８（打ち上げミラー）を利用して非点収差を行うことができるため、非点収差の補正のために専用の光学部品を設ける必要がない。すなわち、光学部品を増加させることなく、レーザ光の非点収差を低減することができる。
【００４３】
実施の形態２．
図８（Ａ）は、実施の形態２における光ピックアップ装置１０３の光学系を示す平面図である。図８（Ｂ）は、光ピックアップ装置１０３の光学系の一部を示す側面図である。実施の形態１における光ピックアップ装置１０３（図２〜図６）の構成要素と同様の構成要素については、同一の符号を付す。この実施の形態２における光ピックアップ装置１０３は、実施の形態１の光ピックアップ装置１０３のダイクロイックプリズム２０４（図２）に代えて、ダイクロイックミラー７０１を用いている。
【００４４】
光ピックアップ装置１０３は、ＢＤ用の光集積素子２０１と、ＤＶＤ／ＣＤ用の光集積素子２０２と、反射ミラー２０３と、ダイクロイックミラー７０１と、カップリングレンズ２０５と、ＢＤ用有限系対物レンズ２０６と、ＤＶＤ／ＣＤ用有限系対物レンズ２０７と、ダイクロイックミラー２０８と、反射ミラー２０９とを備えている。
【００４５】
光集積素子２０１は、ＢＤ用の半導体レーザと受光素子とを集積したものである。光集積素子２０２は、ＤＶＤ／ＣＤ用の２波長半導体レーザと受光素子とを集積したものである。この実施の形態２では、光集積素子２０１，２０２の配置が、実施の形態１とは逆になっている。
【００４６】
ダイクロイックミラー７０１は、光集積素子２０１のＢＤ用半導体レーザから出射されたレーザ光を反射し、光集積素子２０２のＤＶＤ／ＣＤ用半導体レーザから出射されたレーザ光を透過する。これにより、光集積素子２０１，２０２から出射された各レーザ光は、共通の光路（ダイクロイックミラー７０１〜ダイクロイックミラー２０８）を進行する。なお、ダイクロイックミラー２０８およびダイクロイックミラー７０１の各反射面（選択透過反射面）は、上記の共通の光路の光軸を中心として９０度異なる方向を向いている。
【００４７】
図９は、光ピックアップ装置２０３の構成例を示す平面図（Ａ）、側面図（Ｂ）および背面図（Ｃ）である。ＢＤ用有限系対物レンズ２０６およびＤＶＤ／ＣＤ用有限系対物レンズ２０７は、実施の形態１と同様の対物レンズアクチュエータに搭載されている。また、ＢＤ用有限系対物レンズ２０６とＤＶＤ／ＣＤ用有限系対物レンズ２０７とは、実施の形態１と同様、光ディスク１０１の半径方向（Ｙ方向）に並んで配置されており、ディスク半径方向に直交する方向（Ｘ）の長さＷを短くしている。
【００４８】
図１０（Ａ）は、光ピックアップ装置１０３のＢＤ用光路を示す平面図であり、図１０（Ｂ）は、光ピックアップ装置１０３のＢＤ用光路の一部を示す側面図である。光集積素子２０１のＢＤ用半導体レーザから出射されたレーザ光は、反射ミラー２０３およびダイクロイックミラー７０１で反射され、カップリングレンズ２０５を透過し、ダイクロイックミラー２０８で反射され、ＢＤ用有限系対物レンズ２０６によって光ディスク１０１に集光される。光ディスク１０１で反射されたレーザ光は、ＢＤ用有限系対物レンズ２０６を透過し、ダイクロイックミラー２０８で反射され、カップリングレンズ２０５を透過し、ダイクロイックミラー７０１および反射ミラー２０３で反射され、光集積素子２０１の受光素子によって受光される。
【００４９】
図１１（Ａ）は、光ピックアップ装置１０３のＤＶＤ／ＣＤ用光路を示す平面図であり、図１１（Ｂ）は、光ピックアップ装置１０３のＤＶＤ／ＣＤ用光路の一部を示す側面図である。光集積素子２０２のＤＶＤ／ＣＤ用半導体レーザから出射されたレーザ光は、ダイクロイックミラー７０１、カップリングレンズ２０５およびダイクロイックミラー２０８を透過し、反射ミラー２０９で反射され、ＤＶＤ／ＣＤ用有限系対物レンズ２０７によって光ディスク１０１に集光される。光ディスク１０１で反射されたレーザ光は、ＤＶＤ／ＣＤ用有限系対物レンズ２０７を透過し、反射ミラー２０９で反射され、ダイクロイックミラー２０８、カップリングレンズ２０５およびダイクロイックミラー７０１を透過し、光集積素子２０２の受光素子によって受光される。
【００５０】
図１２は、ダイクロイックミラー２０８，７０１とＤＶＤ／ＣＤ用光路とを模式的に示す図である。ダイクロイックミラー２０８は、厚さｄ１の平板ミラーであり、その入射光軸に直交する面に対して角度θ１だけ傾斜している。ダイクロイックミラー７０１は、厚さｄ２の平板ミラーであり、その入射光軸に直交する面に対して角度θ２だけ傾斜している。ダイクロイックミラー２０８，７０１の屈折率をそれぞれｎ１，ｎ２とし、開口数をそれぞれＮＡ１，ＮＡ２とする。ダイクロイックミラー７０１とダイクロイックミラー２０８とを透過した光において発生する非点収差ＡＳは、以下の式（２）で表される。
【００５１】
【数２】
2011181125.tif 000004
【００５２】
光集積素子２０２のＤＶＤ／ＣＤ用半導体レーザから出射されたレーザ光は、非点収差を有しているため、そのままでは光ディスク１０１上の光スポット径を十分小さく絞ることができず、光ピックアップ装置１００の再生性能を向上することができない。そこで、この実施の形態２では、ダイクロイックミラー７０１およびダイクロイックミラー２０８において逆の極性の非点収差を発生させることにより、半導体レーザの非点収差を補正している。
【００５３】
図１３は、ダイクロイックミラー２０８の厚さｄ１と、ダイクロイックミラー７０１，２０８を透過することにより発生する非点収差との関係を示すグラフである。レーザ光の波長λは６６０ｎｍとし、ダイクロイックミラー２０８の傾きθ１は４５°、屈折率ｎ１は１．５２、ＮＡ１は０．０６５とする。また、ダイクロイックミラー７０１の傾きθ２は４５°、屈折率ｎ２は１．５２、ＮＡ２は０．０７０、厚さｄ２は０．３ｍｍとする。レーザ光の非点収差が＋０．１５λ（０．０３０λｒｍｓ）ある場合には、図１３から、ダイクロイックミラー２０８の厚さｄ１を０．２ｍｍとし、−０．１５λの非点収差を発生させることにより非点収差を補正し、低減することができる。
【００５４】
また、光集積素子２０１のＢＤ用半導体レーザから出射されたレーザ光は、それ自体、非点収差を有しておらず、また、ダイクロイックミラー７０１，２０８で反射されるため、ダイクロイックミラー７０１，２０８を透過することによる非点収差も生じない。
【００５５】
以上に説明したように、本発明の実施の形態２によれば、実施の形態１と同様、非点収差の補正が必要でないレーザ光については非点収差の補正を行わず、非点収差の補正が必要なレーザ光について非点収差の補正を行うため、各レーザ光の非点収差を適切に低減することができる。すなわち、非点収差の影響を抑制して、光ピックアップ装置の性能を向上することができる。
【００５６】
なお、上記の各実施の形態では、発振波長が最も短いレーザ光源から出射されたレーザ光の非点収差は補正せず、他の半導体レーザから出射されたレーザ光の非点収差を補正しているが、本発明は、このような構成に限定されるものではない。すなわち、非点収差の補正が必要でないレーザ光については非点収差を補正せず（例えば、実施の形態１においてダイクロイックミラー２０８で反射し）、非点収差の補正が必要なレーザ光については非点収差を補正する（例えば、実施の形態１においてダイクロイックミラー２０８を透過させる）構成であればよい。
【００５７】
また、上記の各実施の形態では、ＢＤ用半導体レーザとＤＶＤ／ＣＤ用半導体レーザとを有する光ピックアップ装置について説明したが、本発明は、このような構成に限定されるものではなく、発振波長の異なる複数のレーザ光源を有するものであればよい。
【符号の説明】
【００５８】
１００  光ディスク装置、  １０１  光ディスク、  １０２  スピンドルモータ、  １０３  光ピックアップ装置、  １０４  移動手段、  １０５  マトリクス回路、  １０６  信号再生回路、  １０７  サーボ回路、  １０８  スピンドル制御回路、  １０９  レーザ制御回路、  １１０  スレッド制御回路、  １１１  コントローラ、  ２０１  光集積素子、  ２０２  光集積素子、  ２０３  反射ミラー、  ２０４  ダイクロイックプリズム、  ２０５  カップリングレンズ、  ２０６  ＢＤ用有限系対物レンズ、  ２０７  ＤＶＤ／ＣＤ用有限系対物レンズ、  ２０８  ダイクロイックミラー、  ２０９  反射ミラー、  ２１０  レンズホルダ、  ２１１  ワイヤ、  ２１２  ワイヤ保持部、  ２１３  ベース、  ７０１  ダイクロイックミラー。
【図１】
2011181125.tif 000005
【図２】
2011181125.tif 000006
【図３】
2011181125.tif 000007
【図４】
2011181125.tif 000008
【図５】
2011181125.tif 000009
【図６】
2011181125.tif 000010
【図７】
2011181125.tif 000011
【図８】
2011181125.tif 000012
【図９】
2011181125.tif 000013
【図１０】
2011181125.tif 000014
【図１１】
2011181125.tif 000015
【図１２】
2011181125.tif 000016
【図１３】
2011181125.tif 000017